(57)【要約】【課題】引出やキャビネットの変形等を吸収できて、引出とキャビネットに設けられる両ロック部材に安定したロック状態が得られると共にスムーズな引き出し動作を行うことができる引出用ロック装置を提供する。【解決手段】キャビネットに配設されたロック部材と、キャビネット内に引き出し可能な引出に配設されたロック部材と、を備え、両ロック部材が互いに係合してロック位置で係止されることにより引出をロックする引出用ロック装置であって、前記両ロック部材の互いに係合する部分に、両ロック部材の係合動作を案内すると共に両ロック部材間の隙間寸法の変位吸収機能を有する、例えばテーパ状のガイド面を有するガイド手段を設けたことを特徴とする。【選択図】  図１
2007143951.tif 000002
【特許請求の範囲】
【請求項１】
キャビネットに配設されたロック部材と、前記キャビネット内に引き出し可能な引出に配設されたロック部材と、を備え、両ロック部材が互いに係合してロック位置で係止されることにより引出をロックする引出用ロック装置であって、
前記両ロック部材の互いに係合する部分に、両ロック部材の係合動作を案内すると共に両ロック部材間の隙間寸法の変位吸収機能を有するガイド手段を設けたことを特徴とする請求項１に記載の引出用ロック装置。
【請求項２】
前記ガイド手段は、前記両ロック部材の互いに対向する部分に設けられたガイド溝及びガイド突条と、該ガイド溝とガイド突条の少なくとも一方の係合開始側端部に設けられたガイド面と、を有することを特徴とする請求項１に記載の引出用ロック装置。
【請求項３】
前記ガイド面は、係合開始側端部が幅広に形成されたテーパ面であることを特徴とする請求項２に記載の引出用ロック装置。
【請求項４】
前記両ロック部材のうち一方のロック部材は、振動による球体の転動で係止部を有するカムをロック位置と非ロック位置に設定するロック本体を有し、他方のロック部材は、一方のロック部材が前記ロック位置の時に前記係止部に係止可能な受け部を有することを特徴とする請求項１ないし３のいずれかに記載の引出用ロック装置。
【請求項５】
前記引出は、その側板がベース板と該ベース板を覆うカバーを有し、該カバーに前記ロック部材の一方が取り付けられていることを特徴とする請求項１ないし４のいずれかに記載の引出用ロック装置。
【請求項６】
前記ガイド溝を有するロック部材がキャビネットの側板内面に取り付けられ、前記ガイド突条を有するロック部材が引出の側板外面に取り付けられていることを特徴とする請求項２ないし５のいずれかに記載の引出用ロック装置。
【発明の詳細な説明】
【技術分野】
【０００１】
本発明は、システムキッチン等のキャビネットに引き出し可能に配設される引出を地震発生時等にロックするための引出用ロック装置に関する。
【背景技術】
【０００２】
従来、例えばシステムキッチン１は、図４に示すように、上面にシンク６が配置されたシンクキャビネット２と、このシンクキャビネット２の右側に配置され食器乾燥機が内蔵された乾燥機キャビネット３と、シンクキャビネット２の左側に配置された調理台キャビネット４と、この調理台キャビネット４の左側に配置され上面にコンロが設けられたコンロキャビネット５等を有し、これらの各キャビネット２〜５の上面には、カウンター７が配置されている。
【０００３】
また、シンクキャビネット２と調理台キャビネット４及びコンロキャビネット５には、所定数の引出８が配設されている。これらの各引出８は、図５に示すように、左右の側板８ａ、鏡板８ｂ、背面板８ｃ及び底板８ｄ等によって箱状に形成され、例えば左右の側板８ａに設けたローラ（図示せず）が、各キャビネット２〜５（以下、これらを総称してキャビネット２という）の側板２ａ内面に設けたレール（図示せず）に沿って移動することにより、キャビネット２の前方に引き出し可能に配設されている。そして、これらの各引出８の側板８ａとキャビネット２の側板２ａ間には、地震の揺れ等を感知して引出８をロックするためのロック装置１００が取り付けられている。
【０００４】
このロック装置１００は、例えば図５に拡大して示すように、鈎状の受け部１０１ａを有して引出８の側板８ａ外面に取り付けられたロック部材１０１と、キャビネット２の側板２ａ内面に取り付けられたロック部材１０２とで構成されている。この時、ロック部材１０２は、例えば本体ケース１０２ａ内を転動可能な鋼球からなる球体１０２ｂと、外面側に係止部１０２ｄが突出状態で一体形成されると共に本体ケース１０２ａ内を所定方向に移動可能に配設されたカム１０２ｃ等を有している。
【０００５】
そして、このロック装置１００は、通常、すなわち地震の揺れ等がなく球体１０２ｂが非ロック位置に停止している場合には、引出８の引き出し動作に追従して移動するロック部材１０１の受け部１０１ａと、前述したように移動可能なカム１０２ｃの係止部１０２ｄとが係止されずに非ロック状態とされて引出８が引き出し可能となっている。また、地震が発生した場合には、その揺れにより球体１０２ｂが転動し、カム板１０２ｃの移動が規制されて係止部１０２ｄがロック部材１０１の受け部１０１ａと係止され、これによりロック装置１００がロック状態となって引出８の前方への飛び出し等の移動ができないようになっている。なお、この種のロック装置としては、例えば特許文献１に開示されている。
【特許文献１】特開２００３−２７８１６号公報
【発明の開示】
【発明が解決しようとする課題】
【０００６】
しかしながら、このようなロック装置１００においては、引出８の側板８ａ外面にロック部材１０１の受け部１０１ａを所定寸法突出するように設けると共に、キャビネット２の側板２ａ内面にロック部材１０２の係止部１０２ｄを所定寸法突出するように設け、受け部１０１ａと係止部１０２ｄとを互いに係止させる構造であるため、例えば図６に示すように、引出８内に収納した収納物の荷重により引出８の底板８ｄが撓んで左右の側板８ａの上部が互いに接近する方向に傾斜する等の変形があると、ロック部材１０１の受け部１０１ａとロック部材１０２の係止部１０２ｄとが互いに係止されずロック状態が得られなかったり、地震時等以外の通常時にロック部材１０１が他方のロック部材１０２に干渉してしまいスムーズな引き出し動作が妨げられてしまう場合がある。
【０００７】
本発明は、このような事情に鑑みてなされたもので、その目的は、引出やキャビネットの変形等を吸収できて、引出とキャビネットに設けられる両ロック部材に安定したロック状態が得られると共にスムーズに引き出し動作を行うことができる引出用ロック装置を提供することにある。
【課題を解決するための手段】
【０００８】
かかる目的を達成すべく、本発明のうち請求項１に記載の発明は、キャビネットに配設されたロック部材と、前記キャビネット内に引き出し可能な引出に配設されたロック部材と、を備え、両ロック部材が互いに係合してロック位置で係止されることにより引出をロックする引出用ロック装置であって、前記両ロック部材の互いに係合する部分に、両ロック部材の係合動作を案内すると共に両ロック部材間の隙間寸法の変位吸収機能を有するガイド手段を設けたことを特徴とする。
【０００９】
そして、前記ガイド手段は、請求項２に記載の発明のように、前記両ロック部材の互いに対向する部分に設けられたガイド溝及びガイド突条と、該ガイド溝とガイド突条の少なくとも一方の係合開始側端部に設けられたガイド面と、を有することが好ましい。また、この場合、前記ガイド面は、請求項３に記載の発明のように、係合開始側端部が幅広に形成されたテーパ面であることが好ましい。
【００１０】
さらに、請求項４に記載の発明のように、前記両ロック部材のうち一方のロック部材は、振動による球体の転動で係止部を有するカムをロック位置と非ロック位置に設定するロック本体を有し、他方のロック部材は、一方のロック部材が前記ロック位置の時に前記係止部に係止可能な受け部を有することが好ましい。また、前記引出は、請求項５に記載の発明のように、その側板がベース板と該ベース板を覆うカバーを有し、該カバーに前記ロック部材の一方が取り付けられていることが好ましく、またさらに、請求項６に記載の発明のように、前記ガイド溝を有するロック部材がキャビネットの側板内面に取り付けられ、前記ガイド突条を有するロック部材が引出の側板外面に取り付けられていることが好ましい。
【発明の効果】
【００１１】
本発明の請求項１に記載の発明によれば、キャビネットと引出に配設される両ロック部材の互いに係合する部分に、両ロック部材の係合動作を案内すると共に両ロック部材間の隙間寸法の変位吸収機能を有するガイド手段が設けられているため、ガイド手段で引出やキャビネットの変形等を吸収でき、引出とキャビネットに設けられる両ロック部材がロックされない状態や両ロック部材の互いの干渉等を防止できて、長期に亘り安定したロック状態を得ることができると共にスムーズに引き出し動作を行うことができる。
【００１２】
また、請求項２に記載の発明によれば、請求項１に記載の発明の効果に加え、ガイド手段が、ロック部材の互いに対向する部分に設けられたガイド溝及びガイド突条と、このガイド溝とガイド突条の少なくとも一方の係合開始側端部に設けられたガイド面とを有するため、ガイド溝とガイド突条で両ロック部材の係合動作をスムーズに行うことができると共に、ガイド面によってガイド溝とガイド突条の係合開始動作をスムーズに行うことができる。
【００１３】
また、請求項３に記載の発明によれば、請求項２に記載の発明の効果に加え、ガイド面が係合開始側端部を幅広に形成したテーパ面であるため、テーパ面によりガイド溝やガイド突起の係合開始をスムーズに案内できて両ロック部材間の隙間寸法の変位を確実に吸収することができると共に、ガイド面自体を簡易に形成することができる。
【００１４】
さらに、請求項４に記載の発明によれば、請求項１ないし３に記載の発明の効果に加え、両ロック部材のうち一方のロック部材が、振動による球体の移動で係止部を有するカムをロック位置と非ロック位置に設定するロック本体を有し、他方のロック部材が、一方のロック部材がロック位置の時に係止部に係止可能な受け部を有するため、球体を有するロック本体により地震を感知して当該ロック部材の係止部をロック位置に確実に設定できると共に、このロック部材の係止部を他方のロック部材の受け部に確実に係止させることができる。
【００１５】
また、請求項５に記載の発明によれば、請求項１ないし４に記載の発明の効果に加え、引出の側板がベース板と該ベース板を覆うカバーを有し、カバーに一方のロック部材が取り付けられているため、引出の軽量化を図りつつ、その側板の変形等をガイド手段によって効果的に吸収することができる。
【００１６】
またさらに、請求項６に記載の発明によれば、請求項２ないし５に記載の発明の効果に加え、ガイド溝を有するロック部材がキャビネットの側板内面に取り付けられ、ガイド突条を有するロック部材が引出の側板外面に取り付けられているため、両ロック部材をキャビネットと引出にその両者間の間隔寸法を小さくした状態で配置できて、システムキッチンの引出等に好適に適用することができる。
【発明を実施するための最良の形態】
【００１７】
以下、本発明の実施の形態を図面に基づいて詳細に説明する。
図１〜図３は、本発明に係わる引出用ロック装置の一実施形態を示し、図１がその正面方向から見た縦断面図、図２が図１のＡ−Ａ線矢視図、図３がキャビネット側のロック部材の横断面図である。なお、以下の説明において、図４及び図５と同一部位には同一符号を付して説明する。
【００１８】
図１〜図３に示すように、ロック装置１０は、引出８側のロック部材１１とキャビネット２側のロック部材１２により構成されている。この両ロック部材１１、１２のうち、引出８側のロック部材１１は、所定高さの角柱状の連結部１１ａと、この連結部１１ａの両端部に一体形成された長方形の板状の取付部１１ｂ及びガイド突条１１ｃを有して、これらが例えば潤滑性を有する樹脂により断面略Ｈ形状に一体形成されている。この時、ガイド突条１１ｃの所定位置には、キャビネット２の側板２ａ方向に所定寸法突出した受け部１１ｄが一体形成されている。
【００１９】
また、キャビネット２側のロック部材１２は、ロック本体１２ａと、このロック本体１２ａに一体化された係合部材１２ｂを有し、係合部材１２ｂにはガイド溝１３が形成されている。すなわち、係合部材１２ｂは、平板状の取付部１３ａと、この取付部１３ａの上下端部に垂直方向に突出形成された断面略Ｌ字形状の鈎部１３ｂを有し、この取付部１３ａと鈎部１３ｂにより前記ガイド溝１３が形成されている。
【００２０】
そして、このガイド溝１３の溝方向に沿った一方の開口側であるキャビネット２の開口側端部の上下の鈎部１３ｂ端面には、所定角度の略テーパ状のガイド面１４がそれぞれ形成されている。このガイド面１４とガイド溝１３及び前記ロック部材１１のガイド突条１１ｃによって本発明のガイド手段が構成され、このガイド手段のガイド面１４の角度は、後述する隙間寸法ｗの数ｍｍ程度の変位を吸収し得るように設定されている。なお、ガイド面１４は、図３に拡大して示すように、例えば所定角度の平面状のテーパ面１４ａと、このテーパ面１４ａの先端に形成された円弧面１４ｂとによって形成されている。
【００２１】
前記ロック本体１２ａは、本体ケース１５と、この本体ケース１５の開口端部を閉塞する蓋体１５ａ（図３参照）等を有し、本体ケース１５内にはカム１６が移動可能に配設されると共に、本体ケース１５の底壁上には鋼球からなる球体１７が転動可能に収納されている。この時カム１６は、非ロック位置とロック位置とに移動可能に設定されている。なお、本体ケース１５（ロック本体１２ａ）と係合部材１２ｂは、本体ケース１５と蓋体１５ａ間と同様に例えば嵌め込み方式によって一体化されている。
【００２２】
そして、このように構成されたロック部材１１、１２は、次のようにして引出８とキャビネット２に取り付けられる。すなわち、図１及び図２に示すように、引出８側のロック部材１１は、取付部１１ｂに設けた係止爪２０を、引出８の側板８ａを構成するカバー２２に設けた係止孔に係止させることにより、取付部１１ｂがカバー２２（つまり引出８の側板８ａ）に取り付けられる。なお、引出８の側板８ａは、引出８自体の軽量化等を図るために、所定板厚の金属板からなるベース板２１と、このベース板２１を覆う薄い鉄板等からなるカバー２２及びこのカバー２２の前後の開口端部を閉塞するキャップ２３等によって構成されている。
【００２３】
一方、キャビネット２側のロック部材１２は、本体ケース１５を側板２ａ内面に設けた凹部２４内に位置させて、係合部材１２ｂの取付部１３ａの外周端部を側板２ａ内面に当接させた状態で、取付部１３ａに設けた取付孔（図示せず）を利用してネジ固定したり、あるいは取付部１３ａを接着剤等により固定することにより取り付けられている。この両ロック部材１１、１２の取付状態において、ロック部材１１のガイド突条１１ｃ等が側板８ａの外側に所定寸法突出し、ロック部材１２の係合部材１２ｂが側板２ａの内側に所定寸法突出すると共に、側板８ａと側板２ａ間には、両ロック部材１１、１２の突出寸法に対応した隙間寸法ｗ（図２参照）が形成された状態となっている。
【００２４】
次に、前記ロック装置１の動作について説明する。先ず、両ロック部材１１、１２の前述した取付状態において、通常の引き出し操作である引出８を引き出した図２の二点鎖線に示す引出位置から、矢印ハで示す方向に引出８をキャビネット２内に押し込むと、引出８と共にロック部材１１も後方側に移動して、ロック部材１１のガイド突条１１ｃが例えば図３の実線位置から、ロック部材１２（係合部材１２ｂ）のガイド面１４に沿って矢印ホの如く移動してガイド溝１３内に侵入し、二点鎖線で示すロック位置に設定される。
【００２５】
この時、ロック部材１１がロック位置に停止しても、その受け部１１ｄとロック部材１２（カム１６）の係止部１６ａとが上下方向において位置がずれており、本体ケース１５内に移動可能な状態のカム１６の係止部１６ａと受け部１１ｄが係止されない状態となっている。また、このガイド突条１１ｃとガイド溝１３のガイド面１４とによる係合でガイド突条１１ｃが外側に所定寸法ｔ（図２参照）移動、すなわちガイド突条１１ｃが取り付けられた側板８ａのカバー２２が変形移動することになり、例えば図６に示すように、引出８の底板８ｄが荷重で撓んで側板８ａの上部が互いに接近する方向に変位しても、この変位（変形）が吸収されることになる。
【００２６】
この動作は、引出８を押し込み位置から図２の矢印ニの如く引き出す場合も同様であり、引出８のロック部材１１のガイド突条１１ｃが係合部材１２のガイド溝１３とガイド面１４に沿って前方に移動して、その係合状態が解かれることになる。この時、カム１６の移動が許容されて係止部１６ａが受け部１１ｄに係止されない状態となっており、引出８の引き出し操作がスムーズに行えることになる。
【００２７】
また、引出８を押し込んだ状態において、例えば地震が発生しキャビネット２を介して本体ケース１５が所定の振幅で揺れると、本体ケース１５内の球体１７が転動してカム１６の移動が規制され、カム１６に設けた係止部１６ａがロック位置に固定される。これにより、地震の揺れにより引出８を前方に引き出す力が作用しても、係止部１６ａと受け部１１ｄとが係止されてロック装置１がロック状態となり、引出８の前方への飛び出しが規制されることになる。
【００２８】
つまり、前記ロック装置１の場合、キャビネット２側のロック部材１２の係合部材１２ｂにカイド面１４を設け、このガイド面１４に引出８側のロック部材１１のガイド突条１１ｃを係合させつつスライド移動させることにより、ガイド面１４の傾斜角度に応じた例えば側板８ａの変位を吸収できることになる。
【００２９】
このように、上記実施形態のロック装置１にあっては、引出８の側板８ａ外面にガイド突条１１ｃを有するロック部材１１を取り付け、キャビネット２の側板２ａ内面に、係止部１６ａ等を有する本体ケース１５及びガイド溝１３とガイド面１４等を有する係合部材１２ｂ等からなるロック部材１２を取り付けているため、ガイド溝１３の開口側端部に設けたガイド面１４により、ガイド突条１１ｃと係合部材１２ｂの係合動作を案内することができると共に両ロック部材１１、１２間の隙間寸法、すなわち引出８の側板８ａの変形等を吸収することができる。
【００３０】
その結果、例えば引出８の底板８ｄの撓みによる側板８ａ上部の内側への変形や、システムキッチン１の施工時の変形、長年の使用あるいはカウンター７上への荷重による側板８ａの変形等による、側板８ａと側板２ａ間の隙間寸法ｗの変化やバラツキ等（変位）を吸収して、引出８とキャビネット２に設けられる両ロック部材１１、１２がロックされない状態や、両ロック部材１１，１２の互いの干渉等を防止できて、システムキッチン１を長期に亘り使用したとしても、地震発生時等にロック装置１０に安定したロック状態を得ることができると共に引き出し操作をスムーズに行うことが可能となる。
【００３１】
また、ロック部材１１にガイド突条１１ｃが設けられ、ロック部材１２の係合部材１２ｂにガイド溝１３が設けられているため、ガイド溝１３とガイド突条１１ｃとの係合によって、両ロック部材１１、１２の係合動作をスムーズに行うことができると共に、ガイド面１４によってガイド突条１１ｃとガイド溝１３との係合開始動作をスムーズに行うことができる。特に、ガイド面１４が係合開始側端部を幅広に形成したテーパ面１４ａや円弧面１４ｂで形成されているため、テーパ面１４ａ等によりガイド溝１３やガイド突条１１ｃを一層スムーズに案内できて、両ロック部材１１，１２間の隙間寸法の変位を確実に吸収することができると共に、ガイド面１４自体を簡易に形成することができる。
【００３２】
さらに、キャビネット２側のロック部材１２が、球体１７と係止部１６ａを有するカム１６が本体ケース１５内に配置されたロック本体１２ａを有し、引出８側のロック部材１１が、ロック部材１２がロック位置の時に係止部１６ａに係止可能な受け部１１ｄを有するため、球体１７を有するロック本体１２ａにより地震を感知して当該ロック部材１２の係止部１６ａをロック位置に良好に設定できると共に、このロック部材１２の係止部１６ａをロック部材１１の受け部１１ｄに係止させることができて、地震発生時に引出８を確実にロックすることができる。
【００３３】
また、引出８の側板８ａがベース板２１と該ベース板２１を覆うカバー２２等を有して、カバー２２にロック部材１１が取り付けられているため、引出８の軽量化を図りつつ、底板８ｄへの荷重で変形し易いカバー２２の変形等を、ロック部材１２のガイド面１４によって効果的に吸収することができる。また、ガイド溝１３を有するロック部材１２がキャビネット２の側板２ａ内面に取り付けられ、ガイド突条１１ｃを有するロック部材１１が引出８の側板８ａ外面に取り付けられているため、両ロック部材１１、１２をキャビネット２と引出８にその両者間の間隔寸法をできるだけ小さくした状態で配置でき、これらのことから、ロック装置１０を前記構成の側板８ａを有するシステムキッチン１の引出８等に好適に設置することが可能となる。
【００３４】
なお、上記実施形態においては、引出８の側板８ａをベース板２１とこれを覆うカバー２２等により構成したが、本発明はこの構成に限定されず、例えば図１の二点鎖線で示すように、所定板厚の板材で構成した側板８ａにも適用することができる。また、上記実施形態においては、ガイド突条１１ｃを有するロック部材１１を引出８に取り付け、ガイド溝１３やガイド面１４を有するロック部材１２をキャビネット２に取り付けたが、例えばロック部材１１をキャビネット２に取り付け、ロック部材１２を引出８に取り付けこともできるし、ガイド面１４をガイド溝１３ではなく、ガイド突条１１ｃのガイド溝１３と対向する面に設けたり、あるいはガイド面１４をガイド突条１１ｃとガイド溝１３の両方に設けることもできる。
【００３５】
さらに、上記実施形態におけるロック部材１２のロック本体１２ａの構成も一例であって、地震の振動を感知してその係止部１６ａを受け部１１ｄに係止可能な他の適宜のロック本体を採用することができるし、ロック本体１２ａの本体ケース１５やカム１６の形状、ロック部材１１、１２の係止部１６ａや受け部１１ｄの形状等も一例であって、例えば係止部１６ａと受け部１１ｄを鈎状に形成する等、本発明に係わる各発明の要旨を逸脱しない範囲において適宜に変更することができる。
【産業上の利用可能性】
【００３６】
本発明は、システムキッチン等のキッチンへの適用に限らず、例えば洗面化粧台、各種ストッカー、各種机等の引出を有する全ての製品に適用できる。
【図面の簡単な説明】
【００３７】
【図１】本発明に係わる引出用ロック装置の一実施形態を示す縦断面図
【図２】同図１のＡ−Ａ線矢視図
【図３】同キャビネット側のロック部材の横断面図
【図４】同本発明が適用されるシステムキッチンの一例を示す斜視図
【図５】従来のロック装置を使用した引出の概略平面図
【図６】同その説明図
【符号の説明】
【００３８】
１・・・システムキッチン、２・・・シンクキャビネット、２ａ・・・側板、３・・・乾燥機キャビネット、４・・・調理台キャビネット、５・・・コンロキャビネット、８・・・引出、８ａ・・・側板、８ｂ・・・鏡板、８ｃ・・・背面板、８ｄ・・・底板、１０・・・ロック装置、１１・・・ロック部材、１１ａ・・・連結部、１１ｂ・・・取付部、１１ｃ・・・ガイド突条、１１ｄ・・・受け部、１２・・・ロック部材、１２ａ・・・ロック本体、１２ｂ・・・係合部材、１３・・・ガイド溝、１３ａ・・・取付部、１３ｂ・・・鈎部、１４・・・ガイド面、１４ａ・・・テーパ面、１４ｂ・・・円弧面、１５・・・本体ケース、１６・・・カム、１６ａ・・・係止部、１７・・・球体、２０・・・係止爪、２１・・・ベース板、２２・・・カバー、２３・・・キャップ、２４・・・凹部、ｗ・・・隙間寸法。
【図１】
2007143951.tif 000003
【図２】
2007143951.tif 000004
【図３】
2007143951.tif 000005
【図４】
2007143951.tif 000006
【図５】
2007143951.tif 000007
【図６】
2007143951.tif 000008